(57)【要約】  【課題】接眼レンズ保持部材に対してターンスライド目当て部材を容易に着脱できるようにする。  【解決手段】接眼レンズ保持部材２０２には、外周面に沿ってターンスライド目当て部材３００の動きをガイドするカム溝２０３が形成されている。ターンスライド目当て部材３００は、カム溝２０３に摺動可能に入り込む突起３０４が形成されているカムフォロー３０２を有している。カム溝２０３には、ターンスライド目当て部材３００を光軸方向に移動させて接眼レンズ保持部材２０２に装着する過程で、突起３０４をカム溝２０３に進入させるための導入口２０６が形成された導入溝２０４が接続されている。【選択図】図２
2010102026.tif 000002
【特許請求の範囲】
【請求項１】
接眼レンズを保持する円筒状の接眼レンズ保持部材と、該接眼レンズ保持部材の外周に装着されて、円周方向の回転に基づき該接眼レンズの光軸方向にスライドする円筒状のターンスライド目当て部材と、を備える光学機器において、
前記接眼レンズ保持部材および前記ターンスライド目当て部材のいずれか一方の部材には、他方の部材に向き合う対向周面に沿って該他方の部材の動きをガイドするためのカム溝が形成され、
前記他方の部材は、前記カム溝に摺動可能に入り込む突起が形成されているカムフォローを有し、
前記カム溝には、前記接眼レンズ保持部材の端部に形成されている導入口から前記カム溝にかけて形成されている導入溝が接続されている
ことを特徴とする光学機器。
【請求項２】
請求項１に記載の光学機器において、
前記カムフォローは、前記突起を前記カム溝の底面側に付勢する弾性部材を有し、
前記カム溝および前記導入溝の底面には、前記突起が入り込む一以上の凹部が形成される
ことを特徴とする光学機器。
【請求項３】
請求項２に記載の光学機器において、
前記一以上の凹部のうちの一の凹部は、前記導入溝に形成されて、前記接眼レンズ保持部材に対する前記ターンスライド目当て部材の抜けを防止する抜け防止凹部である
ことを特徴とする光学機器。
【請求項４】
請求項１から３のいずれか一項に記載の光学機器において、
前記導入溝は、前記対向周面に沿って、溝の延びている向きが変わる返し部分を有する
ことを特徴とする光学機器。
【請求項５】
請求項１から４のいずれか一項に記載の光学機器において、
前記カムフォローの前記突起が挿入される前記導入口の幅は、前記導入溝の幅よりも大きい
ことを特徴とする光学機器。
【請求項６】
請求項１から５のいずれか一項に記載の光学機器において、
前記接眼レンズ保持部材には、外周面に沿って円周方向に延び、撮像装置を接続するためのアダプタが装着される環状のアダプタロック溝が形成される
ことを特徴とする光学機器。
【請求項７】
請求項１から６のいずれか一項に記載の光学機器において、
前記導入溝は、前記導入口側の溝深さよりも前記カム溝側で溝深さが深くなる段差を有すること
を特徴とする光学機器。
【請求項８】
請求項６に記載の光学機器において、
前記カム溝は前記接眼レンズ保持部材に形成され、
前記アダプタロック溝は、前記接眼レンズ保持部材の外周面に沿って、前記導入溝を横切って形成され、
前記カム溝の深さは前記アダプタロック溝の深さよりも深く形成される
ことを特徴とする光学機器。
【発明の詳細な説明】
【技術分野】
【０００１】
本発明は、接眼部にターンスライド目当て部材が設けられている双眼鏡やフィールドスコープ等の光学機器に関するものである。
【背景技術】
【０００２】
双眼鏡やフィールドスコープ等の光学機器には、観察し易くするための目当て部材が接眼部に装着されているものが多い。この目当て部材としては、例えば、円筒状の接眼レンズ保持部材の外周に装着されて、円周方向の回転に基づき光軸方向にスライドするターンスライド目当て部材が知られる。
【０００３】
ところで、近年では接眼部にアダプタを介してデジタルカメラ等の撮像装置を接続し、撮影することが盛んになっている。このような撮影には、アダプタを接続するために、目当て部材が設けられていない専用の接眼レンズ保持部材が使用されることが多い。
【０００４】
また、最近では接眼部からターンスライド目当て部材を着脱可能とする技術も提案されている。
【０００５】
【特許文献１】特開２００１−３２４６８１号公報
【発明の開示】
【発明が解決しようとする課題】
【０００６】
一般的に、眼視によって光学機器を使用する場合には、接眼部に目当て部材が設けられていることが好ましい。その一方で、接眼部に撮像装置を接続して使用する場合には、アダプタを用いて光学機器の鏡筒に接続するため、目当て部材を接眼部から取り外す必要がある。このため、眼視での使用から撮影での使用に変更する場合や、撮影での使用から眼視による使用に変更する場合には、目当て部材の取り外しや装着を行わなければならない。
【０００７】
しかしながら、前述のいずれの技術もターンスライド目当て部材の取り外しや装着に手間がかかるという問題がある。
【０００８】
そこで、本発明は上記問題点に鑑みてなされたものであり、本発明の目的は、接眼レンズ保持部材に対して容易に着脱することができるターンスライド目当て部材を備えた光学機器を提供することにある。
【課題を解決するための手段】
【０００９】
上記課題を解決するため、本発明に係る光学機器は、
接眼レンズを保持する円筒状の接眼レンズ保持部材と、該接眼レンズ保持部材の外周に装着されて、円周方向の回転に基づき該接眼レンズの光軸方向にスライドする円筒状のターンスライド目当て部材と、を備える光学機器において、
前記接眼レンズ保持部材および前記目当て部材のいずれか一方の部材には、他方の部材に向き合う対向周面に沿って該他方の部材の動きをガイドするためのカム溝が形成され、前記他方の部材は、前記カム溝に摺動可能に入り込む突起が形成されているカムフォローを有し、前記カム溝には、前記接眼レンズ保持部材の端部に形成されている導入口から前記カム溝にかけて形成されている導入溝が接続されている、といった構成を特徴とする。
【発明の効果】
【００１０】
本発明によれば、光学機器の使用者は、基本的に、接眼レンズ保持部材に対して光軸方向の移動でターンスライド目当て部材を着脱することができる。したがって、眼視での使用からアダプタを介した撮像装置による使用に変更する場合や、撮像装置での使用から眼視による使用に変更する場合でも、ターンスライド目当て部材の着脱にかかっていた手間を軽減させることができる。
【発明を実施するための最良の形態】
【００１１】
以下、本発明の一実施形態について図面を用いて説明する。
【００１２】
図１は、本実施形態に係る光学機器の側面図である。本実施形態の光学機器１００は、対物レンズ１０２を有する光学機器本体１０１と、接眼レンズ２０１を有する接眼部２００とを備えている。
【００１３】
光学機器本体１０１は、円筒状の対物レンズ鏡筒からなり、一端に対物レンズ１０２が配置されている。また、他端には接眼部２００が取り付けられている。
【００１４】
接眼部２００は、接眼レンズ２０１と、円筒状の接眼レンズ鏡筒であって、接眼レンズ２０１を内部に保持する接眼レンズ保持部２０２と、接眼レンズ保持部材２０２の外周に装着されるターンスライド目当て部材３００とを有する。
【００１５】
図２は、接眼部２００を構成する各部材の側面図である。図２に示すように、接眼レンズ保持部材２０２には、円筒状の外周面に沿って延びるカム溝２０３と、カム溝２０３の一端に接続されて、円筒状の外周面に沿って延びる導入溝２０４と、導入溝２０４を横切って環状に形成されるアダプタロック溝２０５とが形成される。加えて、導入溝２０４には、後述するターンスライド目当て部材３００に設けられたカムフォロー３０２の突起３０４を進入させるための、接眼レンズ保持部材２０２の端部（目当て側）に切り欠き状の導入口２０６が形成されている。この導入口２０６の幅は導入溝２０４の幅よりも大きく形成される。また、導入口２０６は導入溝２０４に向かうにつれて先細るテーパー状に形成されてもよく、導入口２０６および導入溝２０４全体でカム溝２０３に向かうにつれて先細るテーパー状に形成されてもよい。このような幅で導入口２０６が形成されれば、カムフォロー３０２の突起３０４を導入溝２０４へ進入させ易くなる。
【００１６】
導入口２０６が形成される導入溝２０４やカム溝２０３の底面には、カムフォロー３０２の突起３０４が入り込むことでカムフォロー３０２を係止する複数の凹部が形成されている。このうち、カム溝２０３に形成された凹部２０７および凹部２０８は、ターンスライド目当て部材３００の最大引き出し位置や収容位置を規定する。その一方で、導入溝２０４に形成された凹部２０９は、光学機器本体１０１の傾きなどにより、接眼レンズ保持部材２０２からターンスライド目当て部材３００が抜け出てしまうことを防止する。
【００１７】
また、凹部２０７と凹部２０９の間の導入溝２０４は、カム溝２０３が延びる方向と、導入口２０６から凹部２０９までの間の導入溝２０４が延びる方向のどちらにも一致しない方向で延びている。このように、導入溝２０４とカム溝２０３の接続部の溝の方向を変えることにより、ターンスライド目当て部材３００に対して回転又は光軸方向のどちらか一方の動作を不用意に行ったとしても、ターンスライド目当て部材３００が接眼レンズ保持部材２０２から外れにくくなっている。それゆえ、使用者に今どのような動作をターンスライド目当て部材３００に成しているのかを明確に知覚させることができ、使用者は意識してターンスライド目当て部材３００を移動させない限り、ターンスライド目当て部材３００を外せないようになっている。
【００１８】
図３は、接眼レンズ保持部材２０２およびターンスライド目当て部材３００の断面図であり、カム溝２０３と光軸Ｃを含む面における断面図である。図３に示すように、カム溝寄りに位置する導入溝の深さｄ０は導入口寄りに位置する導入溝の深さｄ１よりも深く形成される。すなわち、導入溝には深さｄ０とｄ１との間に段差２１０が形成されている。このような溝深さの違いによる段差は、導入溝２０４とカム溝２０３との間や、導入溝２０４とアダプタロック溝２０５との間に形成されてもよい。このような段差２１０を有することにより、例えば光学機器本体１０１の傾きなどにより、接眼レンズ保持部材２０２からターンスライド目当て部材３００が抜け出てしまうことを防止することができる。なお、図３および後述の図４〜６に示す各断面図において、導入溝およびカム溝に関して、溝が光軸方向に延びているものとして断面を描いている。なお、図４は図３と同じ断面において、接眼レンズ保持部材２０２にターンスライド目当て部材３００が装着された状態での断面図である。図５は、接眼レンズ保持部材２０２と撮像装置接続用アダプタ４００の断面図であり、図４と同じ断面方向の断面図である。そして、図６は、図５と同一断面における、接眼レンズ保持部材２０２に撮像装置接続用アダプタ４００が装着された状態での断面図である。
【００１９】
アダプタロック溝２０５には、図６に示すように、撮像装置接続用のアダプタ４００のアダプタネジ４０４が進入する。アダプタネジ４０４がアダプタロック溝２０５の底面に押し付けられると、接眼レンズ保持部材２０２にアダプタ４００が接続される。
【００２０】
次に、ターンスライド目当て部材３００について説明する。ターンスライド目当て部材３００は、図３に示すように、円筒状に形成されたターンスライドリングと、ターンスライドリング３０１の内周面に固定されたカムフォロー３０２と、ターンスライドリング３０１の外周に固着された目当てゴム３１０とを有している。図３に示すように、カムフォロー３０２は、例えば弾性を有する金属で形成されて、前述の突起３０４と、この突起３０４が一端に形成されている板バネ３０３とを有する。この板バネ３０３の他端は、ターンスライドリング３０１の内周面に取り付けられている。突起３０４はターンスライドリング３０１の中心軸方向に向かって突出しており、板バネ３０３の弾性力によりターンスライドリング３０１の中心軸側に付勢される。
【００２１】
また、ターンスライド目当て部材３００の外周に装着される目当てゴム３１０の外周面には、図２に示すように、カムフォロー３０２の突起位置を示す進入位置指標３１１が付されている。このような指標３１１によって、ターンスライド目当て部材３００の操作者は、導入溝２０４の導入口２０６にカムフォロー３０２の突起３０４を容易に位置合わせすることができる。
【００２２】
次に、図２および３を用いて、ターンスライド目当て部材３００を接眼レンズ保持部材２０２に装着する動作について説明する。操作者は、目当てゴム３１０の進入位置指標３０６を接眼レンズ保持部材２０２の導入口２０６に対向させ、ターンスライド目当て部材３００を光軸方向Ｃすなわち矢印の方向に移動させる。矢印方向の移動に基づき、カムフォロー３０２の突起３０４は接眼レンズ保持部材２０２の導入口２０６から導入溝２０４に進入する。このとき、突起３０４は導入溝２０４の底面側に付勢されていることから、段差２１０を通過しても、溝深さｄ０の底面に対しても付勢され続ける。さらに、ターンスライド目当て部材３００を光軸方向Ｃに移動させると、突起３０４は導入溝２０４の底面に形成された抜け止め防止の凹部２０９まで到達する。
【００２３】
続いて、ターンスライド目当て部材３００を周方向に回転させると、突起３０４は抜け止め防止の凹部２０９から抜け出し、導入溝２０４およびカム溝２０３の接続点に形成された凹部２０７に入り込む。この位置で、ターンスライド目当て部材３００を使用する際の最大引き出し位置が規定される。さらに、ターンスライド目当て部材３００を周方向に回転させつつ接眼レンズ２０１の光軸方向Ｃに移動させると、突起３０４はカム溝２０３を摺動しつつカム溝２０３の終端に形成された凹部２０８に到達する。図４に示されるように、この位置でターンスライド目当て部材３００の収容位置が規定される。このようにして、操作者は接眼レンズ保持部材２０２に対して容易にターンスライド目当て部材３００を装着させることができる。
【００２４】
その一方で、接眼レンズ保持部材２０２からターンスライド目当て部材３００を取り外す場合には、装着時と逆の動作をすればよい。ただし、導入溝２０４には抜け防止凹部２０９と、カム溝２０３側よりも導入口２０６側で高くなる段差２１０が形成されていることから、操作者は突起３０４が抜け防止凹部２０９や段差２１０を通過するように力を加えることになる。
【００２５】
次に、接眼レンズ保持部材２０２に対して、撮像装置４０２との接続に用いるアダプタ４００を装着する動作について説明する。図５に示すように、撮像装置４０２は被写体を撮影するための対物レンズ４０５を有する。この撮像装置４０２に接続されるアダプタ４００は円筒状のアダプタ本体４０１を備えている。アダプタ本体４０１の一端には撮像装置４０２に接続するためのネジ部４０３が形成されている。また、アダプタ本体４０１には、接眼レンズ保持部材２０２に接続するためのアダプタネジ４０４が設けられている。アダプタネジ４０４は、アダプタ４００を接眼レンズ保持部材２０２に装着した際に、アダプタロック溝２０５に向き合う位置に設けられている。
【００２６】
図６に示すように、接眼レンズ保持部材２０２にアダプタ４００を装着する際は、アダプタ４００を接眼レンズ保持部材２０２に対して光軸方向Ｃに移動する。このとき、アダプタネジ４０４はアダプタロック溝２０５に向き合う。続いて、アダプタネジ４０４を締めると、アダプタロック溝２０５の底面にアダプタネジ４０４の先端は押し付けられる。このようにして、アダプタ４００および撮像装置４０２は接眼レンズ保持部材２０２に固定されることとなる。なお、アダプタネジ４０４の径は、導入溝２０４の溝幅よりも大きくする方が好ましい。
【００２７】
以上説明したように、本実施例によれば、光学機器の使用者は、基本的に、接眼レンズ保持部材に対して光軸方向の移動でターンスライド目当て部材を着脱することができる。したがって、眼視での使用から撮影での使用に変更する場合や、撮影での使用から眼視による使用に変更する場合でも、ターンスライド目当て部材の着脱にかかっていた手間を軽減させることができる。
【００２８】
加えて、抜け防止凹部の働きで、光学機器本体の傾きなどにより、接眼レンズ保持部材からターンスライド目当て部材が抜け出てしまうことを防止することができる。
【００２９】
なお、以上の実施形態では、フィールドスコープに本発明を適用したが、本発明は本実施形態に限定されるものではなく、例えば双眼鏡等、他の光学機器に本発明を適用してもよい。また、本発明は、以上の実施形態に限定されるものではなく、例えばターンスライド目当て部材にカム溝や導入溝が形成され、これにガイドされるカムフォローを接眼レンズ保持部材が有するようにしてもよい。このような場合であっても、前述と同様に、ターンスライド目当て部材の着脱にかかっていた手間を軽減させることができる。
【００３０】
また、抜け防止機構として、導入溝には、溝の延びている向きが変わる返し部分が形成されていてもよい。例えば図７および図８は、それぞれ変形例の一つである接眼レンズ保持部材２０２の側面図であるが、このような返し部分は、図７に示すようなＵ字型部２１１であっても、図８に示すようなＶ字型部２１２であってもよい。導入溝２０４に返し部分２１１や２１２が形成されれば、光学機器本体１０１の傾きなどによりターンスライド目当て部材３００が接眼レンズ保持部材２０２から抜け出てしまうことが防止される。
【図面の簡単な説明】
【００３１】
【図１】本発明の一実施形態における光学機器の全体を示す側面図。
【図２】本発明の一実施形態における接眼部の展開側面図。
【図３】本発明の一実施形態における接眼レンズ保持部材およびターンスライド目当て部材の縦断面図。
【図４】本発明の一実施形態における接眼レンズ保持部材および接眼レンズ保持部材に装着されたターンスライド目当て部材の縦断面図。
【図５】本発明の一実施形態における接眼レンズ保持部材および撮像機器に接続されたアダプタの縦断面図。
【図６】本発明の一実施形態における接眼レンズ保持部材および接眼レンズ保持部材に装着されたアダプタの縦断面図。
【図７】本発明の一実施形態における変形例の接眼レンズ保持部材を示す側面図。
【図８】本発明の一実施形態における他の変形例の接眼レンズ保持部材を示す側面図。
【符号の説明】
【００３２】
１００…光学機器、１０１…光学機器本体、１０２，４０５…対物レンズ、
２００…接眼部、２０１…接眼レンズ、２０２…接眼レンズ保持部材、
２０３…カム溝、２０４…導入溝、２０５…アダプタロック溝、２０６…導入口、
２０７，２０８，２０９…凹部、２１０…段差、２１１…導入溝のＵ字型部、
２１２…導入溝のＶ字型部、３００…ターンスライド目当て部材、
３０１…ターンスライドリング、３０２…カムフォロー、３０３…板バネ、
３０４…突起、３１０…目当てゴム、３１１…進入位置指標、４００…アダプタ、
４０１…アダプタ本体、４０２…撮像装置、４０３…ネジ部、
４０４…アダプタネジ、光軸…Ｃ
【図１】
2010102026.tif 000003
【図２】
2010102026.tif 000004
【図３】
2010102026.tif 000005
【図４】
2010102026.tif 000006
【図５】
2010102026.tif 000007
【図６】
2010102026.tif 000008
【図７】
2010102026.tif 000009
【図８】
2010102026.tif 000010